(57)【特許請求の範囲】
【請求項１】
内容物を収容すると共に合成樹脂材料で形成された容器本体と、
ヒンジを介して前記容器本体に連結され、前記容器本体の内部を開閉すると共に合成樹脂材料で形成された蓋体と、
前記蓋体に対して前記容器本体の外側に向けて付勢された状態でスライド移動自在に配設され、前記蓋体に対して摺接する摺接部及び前記摺接部に接合された露出部を有する係合片と、を備えるコンパクト容器であって、
前記摺接部には、前記容器本体の内面に形成された第１係合部に離脱自在に係合して前記蓋体を閉止姿勢に保持する第２係合部が設けられ、
前記摺接部が、合成樹脂材料で形成され、前記露出部が、金属材料で形成されていることを特徴とするコンパクト容器。
【請求項２】
前記第２係合部が、前記係合片における前記スライド移動方向に沿う前記容器本体の外側に位置する外端部に配設されており、前記係合片における前記スライド移動方向に沿う前記容器本体の内側に位置する内端部には、前記蓋体に形成された案内突出部にスライド移動自在に係合する被案内突出部が下方に向けて突設され、
前記被案内突出部が、合成樹脂材料で形成されていることを特徴とする請求項１に記載のコンパクト容器。
【発明の詳細な説明】
【技術分野】
【０００１】
本発明は、コンパクト容器に関する。
【背景技術】
【０００２】
従来から、コンパクト容器として、内容物を収容する容器本体と、後端部が容器本体にヒンジを介して連結され、容器本体の内部を開閉すると共に、容器本体の内面のうち後方を向く表面に形成された第１係合部に離脱自在に係合する第２係合部を有する蓋体と、蓋体の前端部に後方移動自在に配設されたプッシュピースと、を備え、プッシュピースが後方に押圧されて容器本体の前端部を下方に押し下げることによって第１及び第２係合部の係合を解除するものが提案されている（特許文献１参照）。
このようなコンパクト容器において、プッシュピースを蓋体の前端部に後方移動自在に配設すると共に蓋体ではなくこのプッシュピースに容器本体の第１係合部と係合する第２係合部を設け、プッシュピースを後方に移動させることによって第１及び第２係合部の係合を解除する構成も考えられる。
【先行技術文献】
【特許文献】
【０００３】
【特許文献１】実公昭５７−５４７２７号公報
【発明の概要】
【発明が解決しようとする課題】
【０００４】
しかしながら、このようなコンパクト容器では、容器本体及び蓋体から露出するプッシュピースを金属材料で形成することによってコンパクト容器の装飾性を高めようとすると、プッシュピースの前後方向の移動を繰り返したときに、容器本体がプッシュピースにより摩耗させられて第１及び第２係合部の係合動作が不安定になるおそれがある。
【０００５】
本発明は、前述の課題に鑑みてなされたもので、操作不良を引き起こすことなく装飾性を改善することができるコンパクト容器を提供することを目的とする。
【課題を解決するための手段】
【０００６】
本発明は、上記のような課題を解決するために以下のような手段を採用した。すなわち、本発明のコンパクト容器は、内容物を収容すると共に合成樹脂材料で形成された容器本体と、ヒンジを介して前記容器本体に連結され、前記容器本体の内部を開閉すると共に合成樹脂材料で形成された蓋体と、前記蓋体に対して前記容器本体の外側に向けて付勢された状態でスライド移動自在に配設され、前記蓋体に対して摺接する摺接部及び前記摺接部に接合された露出部を有する係合片と、を備えるコンパクト容器であって、前記摺接部には、前記容器本体の内面に形成された第１係合部に離脱自在に係合して前記蓋体を閉止姿勢に保持する第２係合部が設けられ、前記摺接部が、合成樹脂材料で形成され、前記露出部が、金属材料で形成されていることを特徴とする。
【０００７】
この発明では、係合片のうち蓋体及び容器本体から露出する外表面部分を金属材料で形成することで係合片の装飾性が向上し、第２係合部を金属材料よりも軟性の第１係合部と同等の硬さの合成樹脂材料で形成することで、係合片の容器本体及び蓋体に対するスライド移動を繰り返しても、第１係合部が第２係合部によって摩耗させられることを抑制できる。これにより、第１及び第２係合部の係合動作が不安定になることに起因する操作不良を引き起こすことなくコンパクト容器の装飾性を改善することができる。
【０００８】
また、本発明のコンパクト容器では、前記第２係合部が、前記係合片における前記スライド移動方向に沿う前記容器本体の外側に位置する外端部に配設されており、前記係合片における前記スライド移動方向に沿う前記容器本体の内側に位置する内端部には、前記蓋体に形成された案内突出部にスライド移動自在に係合する被案内突出部が下方に向けて突設され、前記被案内突出部が、合成樹脂材料で形成されてもよい。
この場合では、蓋体に案内突出部を形成すると共に係合片に被案内突出部を形成することによって容器本体及び蓋体に対する係合片のスライド移動が安定し、さらに、案内突出部に係合する被案内突出部を合成樹脂材料で形成するので、上述と同様に案内突出部が被案内突出部によって摩耗させられることを抑制できる。これにより、コンパクト容器の装飾性を改善しつつ係合片の操作性を改善することができる。
【発明の効果】
【０００９】
この発明にかかるコンパクト容器によれば、係合片を容器本体及び蓋体に対して繰り返しスライド移動させても、第１係合部が第２係合部によって摩耗させられることを抑制するので、第１及び第２係合部の係合動作不良を引き起こさずにコンパクト容器の装飾性を向上させることができる。
【図面の簡単な説明】
【００１０】
【図１】本発明の一実施形態におけるコンパクト容器を示す平面図である。
【図２】図１のＡ−Ａ矢視断面図である。
【図３】図１のＢ−Ｂ矢視断面図である。
【発明を実施するための形態】
【００１１】
以下、本発明におけるコンパクト容器の一実施形態を図面に基づいて説明する。なお、以下の説明に用いる各図面では、各部材を認識可能な大きさとするために縮尺を適宜変更している。
【００１２】
本実施形態におけるコンパクト容器１は、図１から図３に示すように、例えば化粧料などの内容物を収容する携帯用の蓋付容器であり、平面視矩形状の扁平容器である。このコンパクト容器１は、内容物が充填された複数（本実施形態では２つ）の中皿（図示略）及び塗布具（図示略）を収容する容器本体２と、ヒンジ３を介して容器本体２に連結され、容器本体２の内部を開閉する蓋体４と、蓋体４のうちヒンジ３の反対側の端部に配設され、蓋体４を容器本体２に対して閉止姿勢に保持する係合片５と、を備える。なお、上記中皿の数は、２つに限らず１つや他の数であってもよい。
【００１３】
ここで、本実施形態では、蓋体４側を上側とし、容器本体２側を下側とする。また、上下方向に直交する方向においてヒンジ３側を後側とし、係合片５側を前側とする。さらに、上下方向及び前後方向双方に直交する方向を左右方向とする。
【００１４】
容器本体２は、アクリロニトリル−ブタジエン−スチレン共重合体樹脂（ＡＢＳ樹脂）などの合成樹脂材料で形成されており、上記複数の中皿を収容保持する第１凹部２Ａと上記塗布具を収容する第２凹部２Ｂとが内部に形成されている。なお、容器本体２には、第１及び第２凹部２Ａ、２Ｂが形成されているが、内容物を収容する少なくとも１つの凹部が形成されていればよい。そして、容器本体２は、平面視矩形状の箱体である外装体１１と、外装体１１のうち第１凹部２Ａ内に嵌合されて上記中皿それぞれを収容する第１及び第２副凹部１２Ａ、１２Ｂを画成する内装体１２と、を備える。
【００１５】
外装体１１は、前後方向に長い平面視矩形状の底壁部１３と、底壁部１３の外周縁から上方に向けて立設された平面視矩形環状の周壁部１４と、周壁部１４と共に第１及び第２凹部２Ａ、２Ｂを画成する仕切壁部１５と、を備える。
周壁部１４は、後端に位置して左右方向に延在する後壁部２１と、前端に位置して左右方向に延在する前壁部２２と、右端に位置して前後方向に延在する右側壁部２３と、左端に位置して前後方向に延在する左側壁部２４と、を備える。周壁部１４の内周縁部は、図３に示すように、周壁部１４の外周縁部よりも上方に向けて突出している。
【００１６】
後壁部２１における左右方向の中間部には、図１及び図２に示すように、ヒンジ３を構成するヒンジ凹部２１Ａが設けられている。
前壁部２２における左右方向の中間部（以下、第１フック部２５と称する）の上端部における後面には、前方に向けて陥没する係合凹部（第１係合部）２５Ａが形成されている。第１フック部２５のうち第１フック部２５よりも上方に位置する上端縁部には、前方から後方に向かうにしたがって漸次下方に向けて延びる傾斜面２５Ｂが形成されている。
仕切壁部１５は、図１に示すように、外装体１１における左右方向の中間部に前後方向の全長にわたって延設されている。仕切壁部１５及び周壁部１４によって画成される第２凹部２Ｂは、平面視矩形状をなしており、上記塗布具を収容する大きさに形成されている。
【００１７】
内装体１２は、図１に示すように、第１及び第２副凹部１２Ａ、１２Ｂそれぞれを画成する枠体であり、第１及び第２副凹部１２Ａ、１２Ｂそれぞれは、上記中皿を収容する大きさに形成されている。
【００１８】
蓋体４は、図１から図３に示すように、容器本体２と同様に合成樹脂材料で形成されており、天壁部３１と、天壁部３１の外周縁から下方に向けて突設された外壁部３２と、天壁部３１の下面に接合された鏡体３３と、を備える。
天壁部３１は、容器本体２の底壁部１３と同様に前後方向に長い平面視矩形状の板状部材であり、蓋体４を閉じた状態において底壁部１３の上方に対向するように配設されている。天壁部３１の前端部及び後端部それぞれには、図２に示すように、外壁部３２と共に天壁部３１に鏡体３３を接合する空間を画成する一対の鏡枠部３４、３５が下方に向けて突設されている。これら鏡枠部３４、３５は、天壁部３１にその左右方向の全長にわたって直線状に延設されている。
【００１９】
また、天壁部３１の前端部のうち左右方向の中間部には、図１及び図２に示すように、後方に向けて陥没して係合片５を収容する切欠部３１Ａが形成されている。切欠部３１Ａは、天壁部３１の平面視において前後方向に延びる左右一対の第１内周縁部と、これら第１内周縁部の後端同士を接続する第２内周縁部と、を有する矩形状をなしている。そして、切欠部３１Ａの上記第１及び第２内周縁部は、天壁部３１の他の部分よりも上方から下方に向けて窪んで薄くされている。なお、鏡枠部３４は、この切欠部３１Ａを左右方向で横断するように延在している。
【００２０】
また、切欠部３１Ａの上記第１内周縁部のうち鏡枠部３４の前方には、図１に示すように、係合片５を下方から支持する一対の支持突出部３１Ｂが左右方向の内側に向けて突設されている。
さらに、切欠部３１Ａの上記第１内周縁部それぞれの後端部には、図１から図３に示すように、左右方向の内側に向けて案内突出部３１Ｃが突設されている。この案内突出部３１Ｃと切欠部３１Ａの上記第２内周縁部との間には、図１から図３に示すように、例えばニトリルゴム、ブチルゴム、熱可塑性エラストマまたはウレタンなどの軟質材料により管状に形成された弾性部材３６が切欠部３１Ａの左右方向の全長にわたって配設されている。なお、弾性部材３６は、係合片５と一体に形成するなど、係合片５を前方付勢することができれば、他の構成であってもよい。
【００２１】
外壁部３２は、図１に示すように、容器本体２の周壁部１４と同様に平面視矩形環状をなしている。そして、外壁部３２の前壁部の左右方向の中間部には、係合片５の後述する操作壁部４４を前後方向で移動可能とする開口部３２Ａが形成されており、外壁部３２の後壁部には、ヒンジ３を構成するヒンジ壁部３７が設けられている。
ヒンジ壁部３７は、ヒンジ凹部２１Ａの左右方向の内側に配設されており、図１及び図２に示すように、ヒンジ壁部３７の左右方向の外端部とヒンジ凹部２１Ａとは、軸部３８を介して連結されている。これにより、容器本体２に対して蓋体４を回動自在に支持するヒンジ３が構成される。
【００２２】
係合片５は、図１から図３に示すように、金属材料で形成されて蓋体４及び容器本体２から外部に露出する露出部（外表面部分）４１と、容器本体２と同様に合成樹脂材料で形成されて露出部４１に接合された摺接部４２と、を備える。
露出部４１は、図２に示すように、Ｌ字状に屈曲した板状部材であり、頂壁部４３と、頂壁部４３の前端部から下方に向けて突設された操作壁部４４と、を備える。
【００２３】
頂壁部４３は、図１及び図２に示すように、前後方向及び左右方向の寸法が切欠部３１Ａよりも大きくされた平面視矩形状をなす板状部材であり、切欠部３１Ａを上方から覆うように天壁部３１上に配設されている。
操作壁部４４の前端面は、後方に向けて湾曲して窪む操作面４４Ａとなっている。
【００２４】
摺接部４２は、例えば露出部４１に対してインサート成形されており、露出部４１の頂壁部４３の下面に接合される天板部５１と、天板部５１の前端部における左右方向の中間部から下方に向けて突設された第２フック部５２と、天壁部３１の後端部における左右方向の両端部から下方に向けて突設された一対の被案内突出部５３と、を備える。
天板部５１は、前後方向及び左右方向の寸法が切欠部３１Ａよりも若干大きくされた平面視矩形状をなす板状部材である。また、天板部５１の周縁部は、天壁部３１における切欠部３１Ａの周縁部上で前後方向にスライド移動自在となっている。
【００２５】
第２フック部５２は、図２に示すように、天板部５１から下方に向けて突設されたベース部５４と、ベース部５４の後端部から下方に向けて突設された縦壁部５５と、を備えている。縦壁部５５は、平面視で第１フック部２５と一対の支持突出部３１Ｂとの間の空間に重なる位置に配設されている。縦壁部５５の下端部には、第１フック部２５の係合凹部２５Ａに係合する係合突出部（第２係合部）５５Ａが前方に向けて突設されている。この係合突出部５５Ａが係合凹部２５Ａと係合することにより、蓋体４は、閉止姿勢に保持される。
被案内突出部５３の下端部は、図３に示すように、左右方向の外側に向けて突出しており、案内突出部３１Ｃは、この突出部分の上面で前後方向にスライド移動自在となるように被案内突出部５３に係合している。また、被案内突出部５３の後端部には、弾性部材３６が当接している。
【００２６】
次に、以上のような構成のコンパクト容器１の使用方法について説明する。まず、係合片５の操作壁部４４を後方に押し込んで、蓋体４を開く。操作壁部４４を弾性部材３６の弾性力に抗して後方に押し込むと、第２フック部５２が第１フック部２５に対して後方に移動し、第１フック部２５の係合凹部２５Ａと第２フック部５２の係合突出部５５Ａとの係合が解除される。このとき、摺接部４２の天板部５１は、切欠部３１Ａの上記第１内周縁部上を後方に向けてスライド移動し、係合片５の被案内突出部５３が蓋体４の案内突出部３１Ｃに沿って後方に案内される。これにより、係合片５の蓋体４に対する後方移動が安定する。また、係合片５が容器本体２に対して後方に移動するにしたがって、係合片５の被案内突出部５３が弾性部材３６を前後方向で弾性的に圧縮変形させる。
係合片５の蓋体４及び容器本体２に対する後方移動は、係合片５の第１フック部２５が鏡枠部３４に当接することや天板部５１の後端が切欠部３１Ａの上記第２内周縁部の後端に当接することによって規制される。
【００２７】
ここで、蓋体４の天壁部３１及び容器本体２の第１フック部２５と接触する係合片５の摺接部４２を蓋体４及び容器本体２と同様に合成樹脂材料で形成することにより、係合片５全体を金属材料で形成する場合と比較して、蓋体４及び容器本体２が係合片５の摺接部４２によって摩耗されることが抑制される。
その後、蓋体４を容器本体２に対してヒンジ３回りで開くことにより、第１及び第２凹部２Ａ、２Ｂが開放され、上記中皿の内容物及び上記塗布具が使用可能となる。
【００２８】
そして、容器本体２に収容された上記中皿の内容物及び上記塗布具を適宜使用した後、蓋体４を閉じる。蓋体４を容器本体２に対して押し込むと、縦壁部５５の下端部が第１フック部２５の傾斜面２５Ｂ上をスライド移動することによって、弾性部材３６の付勢力に抗して第２フック部５２が第１フック部２５に対して後方に移動する。その後、さらに蓋体４を容器本体２に対して押し込んで、縦壁部５５の下端部が第１フック部２５の傾斜面２５Ｂを越えると、弾性部材３６が復元変形することによって第２フック部５２が第１フック部２５に対して前方移動する。これにより、第１フック部２５の係合凹部２５Ａと第２フック部５２の係合突出部５５Ａとが係合する。このようにして、蓋体４が閉じられる。
【００２９】
以上のような構成のコンパクト容器１によれば、係合片５の容器本体２及び蓋体４に対する前後移動を繰り返しても、蓋体４及び容器本体２が係合片５によって摩耗されることを抑制するので、第１フック部２５の係合凹部２５Ａと第２フック部５２の係合突出部５５Ａとの係合動作不良を引き起こさずに、コンパクト容器１の装飾性を向上させることが可能となる。
また、蓋体４の案内突出部３１Ｃと係合片５の被案内突出部５３とによって容器本体２及び蓋体４に対する係合片５の前後移動が安定し、コンパクト容器１の装飾性を改善しつつ操作性をさらに改善することができる。
【００３０】
なお、本発明は上記実施形態に限定されるものではなく、本発明の趣旨を逸脱しない範囲において種々の変更を加えることができる。
例えば、係合片は、蓋体の前端部に設けられているが、蓋体の左右方向の端部に設けられていてもよい。また、係合片は、蓋体に１つのみ設けられているが、２つ以上設けられてもよく、上述のように蓋体の左右方向の端部に設ける場合には、蓋体の左右方向の両端部に一対設けられることが好ましい。
摺接部を合成樹脂材料で形成しているが、少なくとも係合突出部が合成樹脂材料で形成されていれば、被案内突出部を露出部と同様に金属材料で形成してもよい。ここで、係合凹部を第１係合部として形成すると共に係合突出部を第２係合部として形成しているが、係合凹部を第２係合部として形成すると共に係合突出部を第１係合部として形成するなど、第１及び第２係合部の構成を適宜変更してもよい。
係合片の露出部及び摺接部は、少なくとも蓋体及び容器本体から露出する外表面部分を金属材料で形成されていればよく、他の形状であってもよい。
蓋体に案内突出部を形成すると共に係合片に被案内突出部を形成しているが、案内突出部及び被案内突出部を形成しなくてもよい。
係合片の操作壁部の後面には、一対の係止突出部を後方に向けて頂壁部とほぼ平行に突設してもよく、この係止突出部を頂壁部との間で支持突出部を挟持するように配置することで、係合片のスライド移動をより安定させることができる。
さらに、例えば天板部の下面に案内凸部を設けると共に支持突出部の上面にこの案内凸部の移動範囲を定めるスライド凹部を設けることで、係合片のスライド移動量を規制するようなスライド規制手段を設けてもよい。
容器本体には、中皿を収容保持する第１凹部と塗布具を収容する第２凹部とが左右方向に並設されているが、前後方向に並設させてもよく、第１凹部または第２凹部のみ設けてもよい。
コンパクト容器の形状は、平面視矩形状に限らず、平面視円形や三角形など、他の形状であってもよい。また、容器本体及び蓋体は、少なくとも一方がドーム状に膨出した形状など、他の形状であってもよい。
【産業上の利用可能性】
【００３１】
この発明によれば、操作不良を引き起こすことなく装飾性を改善することができるコンパクト容器に関して、産業上の利用可能性が認められる。
【符号の説明】
【００３２】
１  コンパクト容器、２  容器本体、３  ヒンジ、４  蓋体、５  係合片、２５Ａ  係合凹部（第１係合部）、３１Ｃ  案内突出部、４１  露出部（外表面部分）、５３  被案内突出部、５５Ａ  係合突出部（第２係合部）
【図１】
0005965604.tif 000002
【図２】
0005965604.tif 000003
【図３】
0005965604.tif 000004